(57)【要約】【課題】  回路基板上にカードスロットコネクタが実装される電子機器において、基板の小型化による基板コストの低減、及び基板への静電気に対する影響の軽減を可能とする電子機器を提供する。【解決手段】  カードスロットコネクタを回路基板の端部に実装し、カードスロットイジェクタの支持を回路基板とは別部材であるイジェクタ支持部材で行なう。また、該イジェクタ支持部材は回路基板及びメインベースプレートに固定されるとともに、回路基板とは非導通状態とし、メインベースプレートとは導通状態とする。【選択図】  図３
2008152351.tif 000002
【特許請求の範囲】
【請求項１】
導電性を有する機器筐体と、電子回路構成部品が実装され前記機器筐体に取り付けられた回路基板と、該回路基板の端部に実装される記録媒体を装着するためのカードスロットコネクタと、該カードスロットコネクタに取り付けられる前記記録媒体を排出するためのカードスロットイジェクタと、前記機器筐体及び回路基板に取り付けられるカードスロットイジェクタを支持するための導電性部材からなるイジェクタ支持部材とを備えたことを特徴とする電子機器。
【請求項２】
前記イジェクタ支持部材の回路基板との当接部は、回路基板の信号パターンとは非導通であるとともに、前記機器筐体との当接部とは導通であることを特徴とする請求項１記載の電子機器。
【請求項３】
前記電子機器はデジタル一眼レフカメラであることを特徴とする請求項１及び請求項２記載の電子機器。
【発明の詳細な説明】
【技術分野】
【０００１】
本発明は、固体撮像素子を有する電子機器、特にデジタル一眼レフカメラ内における記録媒体のカードスロットの取り付け構造に関するものである。
【背景技術】
【０００２】
近年、被写体像をＣＣＤやＣＭＯＳ等の固体撮像素子（以後、撮像素子と称する）を用いて撮像し、撮像された画像信号をＡ／Ｄ変換し、デジタル信号として処理して記録媒体に記録するいわゆるデジタル一眼レフカメラが広く普及してきている。この種のデジタル一眼レフカメラは、一般に次のような回路を搭載している。
・撮像素子を駆動するための撮像素子駆動回路と、撮像素子で撮像された画像信号をＡ／Ｄ変換するＡ／Ｄ変換回路。
・Ａ／Ｄ変換された画像データを一時的に蓄えるバッファメモリ制御回路と、前記メモリに蓄えられた画像データを現像処理して画像データを生成する画像信号処理回路。
・生成された画像データの記録媒体への転送及び記録媒体からの画像データの読み出しを制御する外部記録媒体制御回路と、生成された画像データを外部機器と授受するためのＩ／Ｏ制御回路。
・画像データをＤ／Ａ変換し、内蔵した表示装置に出力するＴＦＴ表示処理回路と、各種センサ、ＳＷ類やカメラアクチュエータの駆動制御等を制御するカメラ動作制御回路と、上記各種回路に対応した電源を作り出すためのＤＣＤＣコンバータ回路。
【０００３】
このようにデジタル一眼レフカメラは極めて大規模な電子回路を有しており、これら電子回路の構成部品を基板に実装し、限られた空間内にレイアウトしている。一方、コスト的に年々低コスト化が求められ、またデザイン的にも小型化が求められており、機器内における回路基板構成の集約化及び小型化が迫られている。そのため、近年のデジタル一眼レフカメラの基板構成としては、基板の多層化を図り上記主要回路を一枚の基板に集約させることでコストダウン及び小型化を実現している。機器の小型化の手段としては、近年上記記録媒体をコンパクトフラッシュ（登録商標）カード（以後、ＣＦカードと称する）からＳＤカードへ置き換えをすることにより小型化を図る機器が増えている（特許文献１参照）。しかしながら、デジタル一眼レフカメラにおいてはＲＡＷ画像など容量の重い画像データを扱うことが多いため、ＣＦカード対応機種が主流となっている。
【０００４】
図６、図７を用いて、従来のＣＦカード対応のデジタル一眼レフカメラにおける主要基板構成について説明する。６０は前述の電子回路が実装された多層基板からなる回路基板で、６０ａ、６０ｂ、６０ｃ、６０ｄのビス穴によって不図示の筐体にビス止め固定される。６１、６２、６３はシールドケースで、前記電子回路からの電磁波ノイズを電磁的に外界と遮蔽するためのものである。６４は、撮影された画像データを記録するための外部記録媒体であるＣＦカードとコンタクトされるカードスロットコネクタである。６５は、ＣＦカードを排出するためのカードスロットイジェクタで、前述のカードスロットコネクタ６４に取り付けられる。カードスロットコネクタ６４、カードスロットイジェクタ６５は、図示の如く回路基板６０上に取り付けられているため、回路基板６０の実装領域確保のためスタンドオフタイプを使用している。前記シールドケース６３内の電子回路がスタンドオフにより生まれた実装領域となる。
【特許文献１】特開２００３−３３１９９４号公報
【発明の開示】
【発明が解決しようとする課題】
【０００５】
上記構成においては、カードスロットコネクタ６４、カードスロットイジェクタ６５の取り付け部分が回路基板６０上であるため、回路基板６０の大型化が避けられず、機器の大型化・基板コスト増大を招いてしまうといった問題があった。また使用するカードスロットにより前記スタンドオフ量は限られてくるため、前記シールドケース６３内への実装可能な電子回路も限定されてしまい、回路基板における実装効率としては非常に悪いものになってしまっている。更に、カードスロットイジェクタ６５の開口部６５ａは不示図のＣＦカード蓋を開けると外観に露出するため、撮影者が直接触れることが出来てしまう。このとき撮影者に静電気が帯電していた場合は、カードスロットイジェクタ６５を介して回路基板６０へ静電気が侵入してしまい、動作不良を起こしてしまうといった問題があった。本発明は上記課題に鑑みてなされたものであり、その目的は、回路基板上にカードスロットコネクタが実装される電子機器において、基板の小型化による基板コストの低減、及び基板への静電気に対する影響の軽減を可能とする電子機器を提供することにある。
【課題を解決するための手段】
【０００６】
上記目的を達成するために、本発明は、導電性を有する機器筐体と、電子回路構成部品が実装され前記機器筐体に取り付けられた回路基板と、該回路基板の端部に実装される記録媒体を装着するためのカードスロットコネクタと、該カードスロットコネクタに取り付けられる前記記録媒体を排出するためのカードスロットイジェクタと、前記機器筐体及び回路基板に取り付けられるカードスロットイジェクタを支持するための導電性部材からなるイジェクタ支持部材とを具備することを特徴とする。
【発明の効果】
【０００７】
カードスロットコネクタを回路基板の端部に実装し、カードスロットイジェクタの支持を回路基板とは別部材（イジェクタ支持部材）で構成することにより、イジェクタ支持部材の面積分回路基板を小さくすることが可能となりコスト低減を図ることが出来る。また、イジェクタ支持部材を導電性のある部材で構成するとともに回路基板とは非導通状態に、筐体とは導通状態とすることが可能になる。これにより、カードスロットイジェクタに静電気が印加されても、静電気は筐体に逃げるため、回路基板への静電気の侵入を防止することが可能となり、機器の信頼性向上を図ることが出来る。
【発明を実施するための最良の形態】
【０００８】
以下、本発明の好ましい実施例について図面を参照しながら説明する。
【実施例１】
【０００９】
図１は、本発明に係る電子機器であるデジタル一眼レフカメラの要部構成図である。本実施形態のカメラシステムは機器筐体であるカメラ本体１と、複数のレンズを有する撮影レンズ２とで構成されており、該撮影レンズ２はカメラ本体１に対して着脱自在に配設されている。撮影レンズ２は１群レンズ３、２群レンズ４、３群レンズ５で構成されており、１群レンズ３は光軸３２上を前後に移動させることで撮影画面のピント位置を調整することが出来る。２群レンズ４は、光軸３２上を前後に移動させることで撮影画面の変倍を行い撮影レンズの焦点距離が変更される。３群レンズ５は固定レンズである。尚、撮影レンズ２は本実施例では便宜上３枚のレンズで示したが実際はさらに多数のレンズから構成されていることは周知の通りである。
【００１０】
６はハーフミラーからなる主ミラーで、後述するレンズマウントが取り付けられた周知のミラーボックスに取り付けられたヒンジ軸により回転可能に軸支されている。主ミラー６は、観察状態の時は撮影光路に斜設され、撮影レンズ２を透過した光束をファインダ及びサブミラーへと導き、撮影状態時は退避される。７はサブミラーで、ミラーボックスに取り付けられたヒンジ軸により主ミラー６に対して回転可能に軸支されており、観察状態の時は主ミラー６を透過した光束をカメラ本体１の下方へ向けて反射し、撮影状態時は主ミラー６に連動して退避する。
【００１１】
８はシャッタで、該シャッタ８の後方には光学ローパスフィルタ及び赤外線カットフィルタを一体化した光学フィルタ９が配置され、その後方には撮影画像を記録するためのＣＣＤ等から構成される撮像素子１０が配置されている。更にその後方には後述するデジタル制御マイコンやカメラ制御マイコンを搭載する回路基板３０が配置されており、後述するメインベースプレート４０に取り付けられている。回路基板３０の後方には撮像素子１０によって得られた画像データを表示するためのＴＦＴ液晶等からなるモニタ用表示器３１が配置されている。１１は結像面近傍に配置されたフィールドレンズ１１ａ、反射ミラー１１ｂ及び１１ｃ、２次結像レンズ１１ｅ、絞り１１ｄ、ＣＣＤ等からなる複数のエリアセンサ１１ｆから構成されている周知の位相差方式の焦点検出装置である。これにより、被写界の複数の領域を焦点検出可能なように構成されている。
【００１２】
１２は撮影レンズ２の予定結像面に配置されたピント板、１３はコンデンサレンズで、撮影レンズ２からの光束を有効に接眼レンズ１６に導くためのものである。１４はファインダ視野領域を形成する視野マスクである。１５はファインダ光路変更用のペンタダハプリズムである。ペンタダハプリズム１５の後方には接眼レンズ１６が配置され、ピント板１２に結像された被写体像の光束が撮影者の眼球１７に達し観察される。１８、１９は観察画面内の被写体輝度を測定するための結像レンズと多分割測光センサで、結像レンズ１８はペンタダハプリズム１５内の反射光路を介してピント板１２と多分割測光センサ１９を共役な結像関係に位置付けている。２１はファインダ視野外に撮影情報を表示するためのＴＮ液晶表示器等からなる内部液晶表示器である。照明用ＬＥＤ２０によって照明されることにより内部液晶表示器２１を透過した光が三角プリズム２２によりファインダ内に導かれ、撮影情報がファインダ視野外に表示される。これによって撮影者は撮影情報を知ることができる。２３は撮影レンズ２内に設けた絞り、２４は絞り駆動装置、２５はレンズ駆動用モータ、２６は駆動ギヤ等からなるレンズ駆動部材、２７はフォトカプラで、レンズ駆動部材２６に連動するパルス板２８の回転を検知して不図示のＡＦ駆動回路に伝えている。ＡＦ駆動回路は、この情報とカメラ側からのレンズ駆動量の情報に基づいてレンズ駆動用モータ２５を所定量駆動させ、撮影レンズ３を光軸上に前後に移動させることにより自動的に合焦位置に移動させるようになっている。２９はカメラ本体１と撮影レンズ２とのインターフェイスとなるマウント接点で、該マウント接点２９を通してカメラとレンズ間の種々の情報通信を行っている。
【００１３】
図２は本発明に係るデジタル一眼レフカメラの要部電気構成図である。同図において、１０１は撮像素子１０の駆動及び制御を行なう撮像素子駆動制御回路である。１０２は撮像素子１０から出力されたアナログ信号をデジタル信号に変換するＡ／Ｄ変換回路である。１０３は第１画像信号処理回路であり、Ａ／Ｄ変換回路１０２から出力されたデジタル信号を処理して画像データを生成し、この画像データをバッファメモリ１０４へ保存したり、後述の第２画像信号処理回路１０５へ出力する処理を施す。１０５は、第２画像信号処理回路である。第１画像信号処理回路１０３から出力された画像データを用いて画像圧縮・伸長処理等の画像処理を施したり、画像をＴＦＴ表示パネル３１に表示するための画像処理を施し、ＴＦＴ表示処理回路１０６に画像データを出力する。１０６はＴＦＴ表示処理回路であり、第２画像信号処理回路１０５から出力される画像信号等をＴＦＴ表示パネル３１に表示するための処理を施すものである。１０７は外部記録媒体制御回路であり、第２画像信号処理回路１０５で処理された画像データを後述する外部記録媒体１０８へ送り、または外部記録媒体１０８内のデータをカメラ本体内部へ送るなどのデータの授受を制御する通信制御回路である。１０８はカメラに着脱可能な外部記録媒体であり、半導体メモリや磁気ディスク等で構成される記録部と、カメラと接続するためのインターフェースおよびコネクタを備えている。１０９はＩ／Ｏ制御回路であり、第２画像信号処理回路１０５で処理された画像データをＩ／Ｏ端子１１９を介して接続されたパソコン等の外部機器へ送り、またはパソコン等の外部機器からカメラ本体内部へ送るなどのデータの授受を制御する通信制御回路である。１１０はスイッチ（以下ＳＷ）類であり、たとえばカメラ機能選択ＳＷやメインＳＷ、レリーズＳＷ、撮影モード切替えＳＷ等である。１１１は液晶表示装置であり、たとえば撮影モードやレンズの絞り値、シャッタスピード値、ＩＳＯ感度などの各種情報を表示する。１１２は、測光センサやＡＦセンサなどの各種センサ類である。１１３は、シャッタやミラーなどのチャージ駆動を行うカメラアクチュエータ類である。１１４は、デジタル回路制御マイコンである。このデジタル回路制御マイコン１１４はＣＰＵバスを介して第１画像信号処理回路１０３、第２画像信号処理回路１０５、Ｉ／Ｏ制御回路１０９及び外部記録媒体制御回路１０７と通信、データの授受を行い、これらを統括的に制御している。１１５はカメラ回路制御マイコンであり、センサ類１１２の駆動、ＳＷ類１１０の状態の検知や、液晶表示装置１１１の表示制御、カメラアクチュエータ類１１３の駆動制御やこれらに関わる各種演算処理を統括的に行う。カメラ回路制御マイコン１１５とデジタル回路制御マイコン１１４は互いに通信し、協調してカメラ全体の制御を行う。１１６はデジタルＤＣＤＣコンバータ回路、１１７はカメラＤＣＤＣコンバータ回路で、上記各種回路を駆動するために必要な各種電源電圧をカメラ内に収納される電池である電源１１８から供給を受け、作り出している。
【００１４】
図３は、電子回路構成部品が実装された回路基板３０とメインベースプレート４０の構成図である。回路基板３０には、カードスロットイジェクタ３５を支持するための導電性部材からなるイジェクタ支持部材５０がビス５１、５２を介して取り付けられている。該イジェクタ支持部材５０と、後述するカードスロットコネクタ３４によってカードスロットイジェクタ３５が支持されている。該カードスロットイジェクタ３５により、ＣＦカードが排出される。これらイジェクタ支持部材５０とカードスロットイジェクタ３５とで形成された開口部３５ｄに、ＣＦカードが挿入され装着される。尚、回路基板３０には電子回路からの電磁波ノイズを電磁的に外界と遮蔽するためのシールドケースや不図示の各種フレキシブルプリント基板が接続されるフレキコネクタ等が実装されている。これら部品は、本発明とは無関係のため説明は割愛する。４０は、回路基板３０が取り付けられるメインベースプレートである。該メインベースプレート４０には回路基板を支持する腕部４０ａ、４０ｂ、４０ｃとイジェクタ支持部材５０を支持する４０ｅ、４０ｆが形成されており、ビス３６、３７、３８、３９及びビス５３、５４によって固定されている。なお、ビス３９に対応する腕部は不図示である。図４は、回路基板３０におけるカードスロットイジェクタ３５取り付け側の斜視図である。図５は、回路基板３０におけるカードスロットコネクタ３４取り付け部の詳細図である。図示の如くカードスロットコネクタ３４は、回路基板３０の端部に実装されており、カードスロットイジェクタ３５がカードスロットコネクタ３４に係合されるとともに腕部３５ｂがイジェクタ支持部材５０にビス３５ｃによって固定されている。回路基板３０は、メインベースプレート４０の腕部４０ａ及び４０ｂに電気的接続するためのランド３０ａ及び３０ｂ及びイジェクタ支持部材５０の腕部５０ａ及び５０ｂが当接する箇所にランド３０ｃ及び３０ｄがそれぞれ形成されている。ランド３０ａ及び３０ｂは回路基板３０のＧＮＤパターンとパターン接続されており、電気的接続がなされている。これによって回路基板３０とメインベースプレート４０のＧＮＤループが確保されている。また、ランド３０ｃ及び３０ｄは回路基板３０上においてそれぞれ独立したパターンとなっており、回路基板３０の信号パターンとは非導通となっている。言い換えると、イジェクタ支持部材５０の回路基板３０との当接部は、回路基板３０の信号パターンとは非導通であるとともに、メインベースプレート４０との当接部とは導通となっている。
【００１５】
以上、カードスロットコネクタを回路基板の端部に実装し、カードスロットイジェクタの支持を回路基板とは別部材であるイジェクタ支持部材で構成するようにした。これにより、イジェクタ支持部材の面積の分回路基板を小さくすることが可能となる。さらに、コスト低減を図ることが出来る。これは、回路基板とイジェクタ支持部材の面積比コストを比較すると、回路基板のほうがはるかに高価なためで、回路基板の層数が増える程その差は大きくなる。また、イジェクタ支持部材を回路基板とは非導通状態に、メインベースプレートとは導通状態とするようにした。これにより、前記開口部から静電気が印加されても、静電気はメインベースプレートに逃げるため、回路基板へ与える影響をなくすことが出来る。
【００１６】
尚、実施形態の構成が持つ機能が達成出来る構成であれば、発明の主旨を逸脱しない範囲において種々の変形が可能であることは言うまでもない。
【図面の簡単な説明】
【００１７】
【図１】本発明におけるデジタル一眼レフカメラの要部構成図。
【図２】本発明におけるデジタル一眼レフカメラの要部電気構成図。
【図３】本発明におけるデジタル一眼レフカメラの回路基板とメインベースプレートとの構成図。
【図４】本発明におけるデジタル一眼レフカメラの回路基板の斜視図。
【図５】本発明におけるデジタル一眼レフカメラのカードスロットコネクタ取り付け部詳細図。
【図６】従来の回路基板の斜視図。
【図７】図６の一部を取り外した斜視図。
【符号の説明】
【００１８】
３０  回路基板
３４  カードスロットコネクタ
３５  カードスロットイジェクタ
５０  イジェクタ支持部材
【図１】
2008152351.tif 000003
【図２】
2008152351.tif 000004
【図３】
2008152351.tif 000005
【図４】
2008152351.tif 000006
【図５】
2008152351.tif 000007
【図６】
2008152351.tif 000008
【図７】
2008152351.tif 000009